(57)【要約】【課題】互いに非相溶性を有する第一、第二液体を含有する封入液を所定の比率で液室内に封入させることを目的とする。【解決手段】振動発生部および振動受部のうちのいずれか一方に連結される外筒１１、および他方に連結される内筒１２と、外筒１１と内筒１２とを弾性的に連結する弾性体１３と、外筒１１内の液室１７を、弾性体１３を壁面の一部とする一方側の主液室１４と他方側の副液室１５とに区画する仕切り部材１６と、を備えるとともに、主液室１４と副液室１５とを連通する制限通路２４が形成され、液室１７に、互いに非相溶性を有する第一液体Ｌ１及び第二液体Ｌ２を少なくとも含有する封入液が封入された液体封入型の防振装置１０の製造方法であって、第一液体Ｌ１中で第二液体Ｌ２を分散させて乳化された封入液Ｌを液室１７に封入する。【選択図】図１
2010071446.tif 000002
【特許請求の範囲】
【請求項１】
振動発生部および振動受部のうちのいずれか一方に連結される外筒、および他方に連結される内筒と、
前記外筒と前記内筒とを弾性的に連結する弾性体と、
前記外筒内の液室を、前記弾性体を壁面の一部とする一方側の主液室と他方側の副液室とに区画する仕切り部材と、を備えるとともに、
前記主液室と前記副液室とを連通する制限通路が形成され、
前記液室に、互いに非相溶性を有する第一液体及び第二液体を少なくとも含有する封入液が封入された液体封入型の防振装置の製造方法であって、
前記第一液体中で前記第二液体を分散させて乳化された前記封入液を前記液室に封入することを特徴とする防振装置の製造方法。
【請求項２】
請求項１に記載の防振装置の製造方法において、
前記外筒、前記内筒及び前記弾性体を一体化させて防振装置本体を作成する防振装置本体作成工程と、
乳化された前記封入液中において、少なくとも前記仕切り部材を前記防振装置本体に組み付け、前記液室に前記封入液を封入する液中組立工程と、
を備えることを特徴とする防振装置の製造方法。
【請求項３】
請求項１または２に記載の防振装置の製造方法において、
前記封入液に界面活性剤を混入して乳化させることを特徴とする防振装置の製造方法。
【請求項４】
請求項１から３のいずれかに記載の防振装置の製造方法において、
前記封入液は、前記第一液体を６０重量％以上９９．９重量％以下含有し、第二液体を０．１重量％以上４０重量％以下含有していることを特徴とする防振装置の製造方法。
【請求項５】
請求項１から４のいずれかに記載の防振装置の製造方法において、
前記第一液体はエチレングリコール単体若しくはエチレングリコールとプロピレングリコールとを含有し、前記第二液体はシリコーンオイル若しくはフッ素オイルを含有することを特徴とする防振装置の製造方法。
【発明の詳細な説明】
【技術分野】
【０００１】
本発明は、例えば自動車や産業機械等に適用され、エンジン等の振動発生部の振動を吸収および減衰する防振装置の製造方法に関する。
【背景技術】
【０００２】
上記した防振装置として、従来、例えば下記特許文献１に示されているように、振動発生部および振動受部のいずれか一方に連結される外筒と、振動発生部および振動受部のいずれか他方に連結される内筒と、外筒及び内筒を弾性的に連結するとともに外筒の軸方向一方側の開口部を閉塞する弾性体と、外筒の軸方向他方側の開口部を閉塞するダイヤフラムと、外筒の内部に形成された液室を、弾性体を隔壁の一部とする主液室とダイヤフラムを隔壁の一部とする副液室とに区画する仕切り部材と、を備える構成が知られている。上記した液室には、比重が異なる非相溶性の二種以上の液体で構成された封入液が封入されている。また、上記した仕切り部材には、主液室と副液室とを連通する制限通路が形成されており、この制限通路を通って上記した封入液が主液室と副液室との間で往来可能となっている。
【０００３】
ところで、防振装置の製造方法として、従来から、防振装置を液中で組み立てる方法がある。この方法は、まず、外筒、内筒及び弾性体を一体化させて防振装置本体を作成する工程を行う。次に、防振装置本体を、封入液を貯留したプールの中に入れ、このプール内（封入液中）で防振装置本体に仕切り部材及びダイヤフラムをそれぞれ組み付ける工程を行う。これにより、液室内に空気が混入することなく封入液を封入させることができる。
【０００４】
また、防振装置の製造方法として、従来から、組み立てられた防振装置の液室に封入液を真空注入する方法がある。この方法は、まず、外筒、内筒及び弾性体を一体化させて防振装置本体を作成する工程を行う。次に、防振装置本体に仕切り部材及びダイヤフラムをそれぞれ組み付ける工程を行う。次に、組み立てられた防振装置の液室を真空引きし、その後、封入液が貯留された密封タンクと液室とを連通させることで、真空状態の液室に封入液を注入する工程を行う。これにより、液室内に空気が混入することなく封入液を封入させることができる。
【特許文献１】特許第２８６０７０１号公報
【発明の開示】
【発明が解決しようとする課題】
【０００５】
しかしながら、封入液が非相溶性の二種以上の液体で構成されている場合、上記した前者の製造方法では、封入液に含有された複数の液体がプール内で分離されてしまうため、所定の比率の封入液を液室内に封入させることが難しいという問題がある。
一方、上記した後者の製造方法では、二種以上の液体をそれぞれ別々に真空注入しようとすると、蒸気圧の高い方の液体が注入時に蒸発する場合があるため、所定の比率の封入液を液室内に封入させることが難しいという問題がある。また、非相溶性の二種以上の液体を混合させた状態で密封タンクに貯留させて真空注入しようとすると、封入液に含有された複数の液体が密封タンク内で分離されてしまうため、所定の比率の封入液を液室内に封入させることが難しいという問題がある。
このように、上記した従来の製造方法で製造された防振装置は、液室に封入された封入液の比率にばらつきが生じ易く、その結果、防振装置の性能が安定しないという問題が存在する。
【０００６】
本発明は、上記した従来の問題が考慮されたものであり、互いに非相溶性を有する第一液体及び第二液体を含有する封入液を所定の比率で液室内に封入させることができ、防振装置の性能安定性を向上させることができる防振装置の製造方法を提供することを目的としている。
【課題を解決するための手段】
【０００７】
本発明に係る防振装置の製造方法は、振動発生部および振動受部のうちのいずれか一方に連結される外筒、および他方に連結される内筒と、前記外筒と前記内筒とを弾性的に連結する弾性体と、前記外筒内の液室を、前記弾性体を壁面の一部とする一方側の主液室と他方側の副液室とに区画する仕切り部材と、を備えるとともに、前記主液室と前記副液室とを連通する制限通路が形成され、前記液室に、互いに非相溶性を有する第一液体及び第二液体を少なくとも含有する封入液が封入された液体封入型の防振装置の製造方法であって、前記第一液体中で前記第二液体を分散させて乳化された前記封入液を前記液室に封入することを特徴としている。
【０００８】
このような特徴により、液室に封入液を封入する際、第一液体中に第二液体が均等に分散された状態となるので、液室内に所定比率の封入液が封入される。なお、ここでいう「乳化」とは、第二液体を微粒子にして第一液体中に分散させることをいい、第一液体と第二液体とが２つの層に分離しないことをいう。
【０００９】
また、本発明に係る防振装置の製造方法は、前記外筒、前記内筒及び前記弾性体を一体化させて防振装置本体を作成する防振装置本体作成工程と、乳化された前記封入液中において、少なくとも前記仕切り部材を前記防振装置本体に組み付け、前記液室に前記封入液を封入する液中組立工程と、を備えることを特徴としている。
【００１０】
これにより、液中組立工程の際に用いる封入液は、第一液体中に第二液体が均等に分散された状態となるので、その封入液中で液中組立工程を行うことで、液室内に所定比率の封入液が封入される。
【００１１】
また、本発明に係る防振装置の製造方法は、前記封入液に界面活性剤を混入して乳化させることが好ましい。
【００１２】
これにより、上記のように乳化された封入液が安定する。すなわち、界面活性剤が混入された封入液は、時間が経過しても第一液体と第二液体とが分離せず、第一液体中に第二液体が微粒子となって均等に分散された状態が維持される。
【００１３】
また、本発明に係る防振装置の製造方法は、前記封入液が、前記第一液体を６０重量％以上９９．９重量％以下含有し、第二液体を０．１重量％以上４０重量％以下含有していることが好ましい。
また、本発明に係る防振装置の製造方法は、前記第一液体はエチレングリコール単体若しくはエチレングリコールとプロピレングリコールとを含有し、前記第二液体はシリコーンオイル若しくはフッ素オイルを含有することが好ましい。
これにより、防振装置の減衰効果が低減されることがない。
【発明の効果】
【００１４】
本発明に係る防振装置の製造方法によれば、互いに非相溶性を有する第一液体及び第二液体を含有する封入液を所定の比率で液室内に封入させることができ、これにより、液室に封入された封入液における第二液体の含有比率のばらつきを抑えることができ、防振装置の性能安定性を向上させることができる。
【発明を実施するための最良の形態】
【００１５】
以下、本発明に係る防振装置の製造方法の実施の形態について、図面に基いて説明する。
【００１６】
まず、本実施の形態における防振装置１０の構成について、図１に基いて説明する。
本実施の形態における防振装置１０は、振動発生部および振動受部のいずれか一方に連結される筒状の外筒１１と、振動発生部および振動受部のいずれか他方に連結される内筒１２と、これらの外筒１１と内筒１２とを弾性的に連結する弾性体１３と、外筒１１の内部に形成された液室１７を後述する主液室１４と副液室１５とに区画する仕切り部材１６と、を備えている。
【００１７】
なお、これらの各部材はそれぞれ、上面視円形状若しくは円環状に形成されるとともに、中心軸線Ｏを共通軸にして同軸上に配置されている。
そして、この防振装置１０が例えば自動車に装着された場合、内筒１２が振動発生部としてのエンジンに連結される一方、外筒１１が図示されないブラケット等を介して振動受部としての車体に連結されることにより、エンジンの振動を車体に伝達するのを抑えられるようになっている。
【００１８】
内筒１２は柱状に形成されるとともに、外筒１１における前記中心軸線Ｏ方向の一端開口部に配置されている。また、内筒１２の軸方向一端部は、外筒１１における前記中心軸線Ｏ方向の一端開口面よりも前記中心軸線Ｏ方向の外方に突出されており、内筒１２の一端面には雌ねじ部が形成されている。弾性体１３は、加硫ゴムからなる弾性体であり、外筒１１の一端開口部と内筒１２の外周面とに接着されて、外筒１１を前記中心軸線Ｏ方向の一端側から閉塞している。なお、弾性体１３としては、ゴム以外にも合成樹脂等からなる弾性体を用いることも可能である。
【００１９】
さらに、外筒１１における前記中心軸線Ｏ方向の他端開口部にはダイヤフラム１９が配設されている。このダイヤフラム１９は上面視円形状に形成されるとともに、前記中心軸線Ｏ方向の他端側に向けて開口した逆椀状体となっている。詳しく説明すると、ダイヤフラム１９は、円環状のダイヤフラムリング１９ａと、このダイヤフラムリング１９ａの内側に張設された膜状のダイヤフラムゴム１９ｂと、を備えている。ダイヤフラムゴム１９ｂの外周縁部は、全周にわたってダイヤフラムリング１９ａの内周面に加硫接着されている。そして、ダイヤフラムリング１９ａが、外筒１１の前記他端開口部内に嵌合されることにより、ダイヤフラム１９は外筒１１を前記中心軸線Ｏ方向の他端側から閉塞している。
【００２０】
以上の構成において、外筒１１の内部のうち、ダイヤフラム１９と弾性体１３との間に位置する部分が、これらのダイヤフラム１９および弾性体１３によって液密に閉塞され、後述する封入液Ｌが充填された液室１７となっている。そして、この液室１７は、仕切り部材１６によって、弾性体１３を隔壁の一部に有しこの弾性体１３の変形により内容積が変化する主液室１４と、ダイヤフラム１９を隔壁の一部に有しこのダイヤフラム１９の変形により内容積が変化する副液室１５と、に区画されている。
【００２１】
ここで、仕切り部材１６の外周面側と外筒１１の内周面側との間には、外筒１１の周方向に沿って延びる制限通路２４が形成されている。
図示の例では、仕切り部材１６は、円環状の仕切り部材本体１６ｂと、円環状の仕切り部材本体１６ｂの内側に張設されたメンブラン１６ａと、を備えている。仕切り部材本体１６ｂは、樹脂製の部材であり、その外周面には、前記制限通路２４となる周溝が形成されている。制限通路２４は、外筒１１の内周面に被覆されたゴム膜１８によって、仕切り部材１６の径方向の外側から閉塞されている。なお、ゴム膜１８は弾性体１３と一体に形成され、外筒１１の内周面は弾性体１３およびゴム膜１８により全域にわたって覆われている。また、メンブラン１６ａは、円板状のゴム製の部材であり、その外縁部が円環状の仕切り部材本体１６ｂの内周面に加硫接着され、このメンブラン１６ａによって円環状の仕切り部材本体１６ｂの内側が閉塞している。
さらに、本実施形態では、この防振装置１０は、主液室１４が鉛直方向上側に位置しかつ副液室１５が鉛直方向下側に位置するように取り付けられて用いられる圧縮式となっている。
【００２２】
そして、本実施形態では、前記封入液Ｌは、非相溶性を有する、つまり互いに不溶な第一液体Ｌ１および第二液体Ｌ２を含有している。第二液体Ｌ２は、第一液体Ｌ２よりも封入液Ｌ中に含まれる重量比率が小さくなっている。また、第二液体Ｌ２は、少なくとも−３０℃以上１００℃以下の温度範囲で、第一液体Ｌ１よりも蒸気圧が高く、且つ蒸発潜熱が小さくなっている。例えば、第二液体Ｌ２の蒸気圧は第一液体Ｌ１の蒸気圧の２倍以上とされ、また第一液体Ｌ１の１ｋｇ当たりの蒸発潜熱は、第二液体Ｌ２の１ｋｇ当たりの蒸発潜熱の２倍以上となっている。なお、第二液体Ｌ２は、第一液体Ｌ１よりも粘度が低くなっている。
【００２３】
以上のような第一液体Ｌ１としては、例えばエチレングリコールとプロピレングリコールとを含有するもの若しくはエチレングリコール単体等が挙げられ、また第二液体Ｌ２としては、例えばシリコーンオイル若しくはフッ素オイル等が挙げられる。また、前記封入液Ｌは、第一液体Ｌ１を６０重量％以上９９．９重量％以下含有し、第二液体Ｌ２を０．１重量％以上４０重量％以下含有している。好ましくは、前記封入液Ｌは、第一液体Ｌ１を８０重量％以上９９重量％以下含有し、第二液体Ｌ２を１重量％以上２０重量％以下含有している。例えば、封入液Ｌ中に、第一液体Ｌ１が８０ｃｃ〜２００ｃｃ含まれ、第二液体Ｌ２は０．５ｃｃ〜５ｃｃ含まれている。
さらに、前記封入液Ｌは、第一液体Ｌ１中に第二液体Ｌ２が微粒子となって均等に分散された乳化状態となっている。
【００２４】
次に、上記した構成からなる防振装置１０の製造方法の実施の形態について説明する。
【００２５】
まず、外筒１１、内筒１２及び弾性体１３を一体化させて防振装置本体２０を作成する防振装置本体作成工程を行う。
具体的に説明すると、まず、弾性体１３及びゴム膜１８を形成するための図示せぬ金型（防振装置本体金型）の中に外筒１１及び内筒１２をそれぞれ所定位置に配置するとともに、外筒１１の内周面及び内筒１２の外周面にそれぞれ接着下地処理を施した後に接着剤を塗布する。その後、上記した防振装置本体金型の中に未加硫ゴムを射出して弾性体１３を成形するとともに、弾性体１３と一体にゴム膜１８をそれぞれ成形する。続いて、これらの弾性体１３等に硫黄ガス、圧力及び熱をそれぞれ加えて弾性体１３等を加硫する。この際、弾性体１３が、外筒１１の内周面及び内筒１２の下部の外周面にそれぞれ接着されるとともに、ゴム膜１８が外筒１１の内周面に接着される。そして、上記した防振装置本体金型を取り外すことにより、防振装置本体２０が形成される。
【００２６】
また、円環状の仕切り部材本体１６ｂの内側にメンブラン１６ａを形成して仕切り部材１６を作成する仕切り部材作成工程を行う。
具体的に説明すると、メンブラン１６ａを形成するための図示せぬ金型（メンブラン金型）の中に仕切り部材本体１６ｂを所定位置に配置するとともに、仕切り部材本体１６ｂの内周面に接着下地処理を施した後に接着剤を塗布する。その後、上記したメンブラン金型の中に未加硫ゴムを射出してメンブラン１６ａを成形する。続いて、このメンブラン１６ａに硫黄ガス、圧力及び熱をそれぞれ加えてメンブラン１６ａを加硫する。この際、メンブラン１６ａの外周部が仕切り部材本体１６ｂの内周面に接着される。そして、上記したメンブラン金型を取り外すことにより、仕切り部材本体１６ｂの内側にメンブラン１６ａが張設された仕切り部材１６が形成される。
【００２７】
また、ダイヤフラムリング１９ａの内側にダイヤフラムゴム１９ｂを形成してダイヤフラム１９を作成するダイヤフラム作成工程を行う。
具体的に説明すると、ダイヤフラムゴム１９ｂを形成するための図示せぬ金型（ダイヤフラム金型）の中にダイヤフラムリング１９ａを所定位置に配置するとともに、ダイヤフラムリング１９ａの内周面に接着下地処理を施した後に接着剤を塗布する。その後、上記したダイヤフラム金型の中に未加硫ゴムを射出してダイヤフラムゴム１９ｂを成形する。続いて、このダイヤフラムゴム１９ｂに硫黄ガス、圧力及び熱をそれぞれ加えてダイヤフラムゴム１９ｂを加硫する。この際、ダイヤフラムゴム１９ｂの外周面がダイヤフラムリング１９ａの内周面に接着される。そして、上記したダイヤフラム金型を取り外すことにより、ダイヤフラムリング１９ａの内側にダイヤフラムゴム１９ｂが張設されたダイヤフラム１９が形成される。
【００２８】
次に、封入液Ｌ中において、上記した仕切り部材１６及びダイヤフラム１９を防振装置本体２０にそれぞれ組み付け、液室１７に封入液Ｌを封入する液中組立工程を行う。
具体的に説明すると、図２に示すように、まず、第一液体Ｌ１中に第二液体Ｌ２が微粒子となって分散された乳化状態の封入液Ｌを製造し、その封入液Ｌをプール５０に供給して貯留する。
【００２９】
乳化状態の封入液Ｌを製造する設備には、第一液体Ｌ１を貯留する第一タンク５１と、第二液体Ｌ２を貯留する第二タンク５２と、第一液体Ｌ１に対して第二液体Ｌ２を微粒子化にして分散させる乳化装置５３と、が備えられている。第一タンク５１に設けられた流出口５１ａは、連通管５４を介して第一高圧ポンプ５５の吸込口５５ａに接続されており、第一高圧ポンプ５５の吐出口５５ｂは、連通管５６を介して乳化装置５３の第一流入口５３ａに接続されている。一方、第二タンク５２に設けられた流出口５２ａは、連通管５７を介して第二高圧ポンプ５８の吸込口５８ａに接続されており、第二高圧ポンプ５８の吐出口５８ｂは、連通管５９を介して乳化装置５３の第二流入口５３ｂに接続されている。そして、乳化装置５３の吐出口５３ｃは、連通管６０を介してプール５０の流入口５０ａに接続されている。
【００３０】
上記した構成の設備によって乳化状態の封入液Ｌを製造する際、第一、第二高圧ポンプ５５，５８をそれぞれ駆動させる。これにより、第一タンク５１内の第一液体Ｌ１が、連通管５４，５６を通って所定圧力にて乳化装置５３に供給されるとともに、第二タンク５２内の第二液体Ｌ２が連通管５７，５９を通って所定圧力にて乳化装置５３に供給される。このとき、乳化装置５３に供給する第一液体Ｌ１及び第二液体Ｌ２の比率が、液室１７に封入する封入液Ｌの所望比率と等しくなるように、第一、第二液体Ｌ１，Ｌ２の供給量を調整する。
【００３１】
乳化装置５３では、攪拌による乱流や超音波による振動、さらに第二液体Ｌ２の装置内壁面への衝突や第一、第二液体Ｌ１，Ｌ２同士の急激な衝突等によって、第二液体Ｌ２が微粒子となって第一液体Ｌ１中に分散し、乳化された封入液Ｌが製造される。そして、この乳化状態の封入液Ｌは、連通管６０を通ってプール５０内に供給される。なお、乳化装置５３において、上記した封入液Ｌ（第一液体Ｌ１、第二液体Ｌ２）に界面活性剤を添加することが好ましい。なお、界面活性剤としては、例えばポリオキシエチレンアルキルエーテル等を用いることが可能である。
【００３２】
続いて、上記した封入液Ｌが貯留されたプール５０の中に防振装置本体２０を沈める。このとき、防振装置本体２０は、内筒１２側（外筒１１の一端開口部側）を下向きにして配置する。また、外筒１１内に空気が残留しないように防振装置本体２０をプール５０内で適宜揺動させる。
【００３３】
続いて、プール５０内に仕切り部材１６を投入し、封入液Ｌ中において、外筒１１の内側に仕切り部材１６を嵌合させて防振装置本体２０に仕切り部材１６を組み付ける。このとき、仕切り部材１６は、制限通路２４内やメンブラン１６ａの下側などに空気が残留しないようにプール５０内で適宜揺動させた後、防振装置本体２０に組み付ける。
【００３４】
続いて、プール５０内にダイヤフラム１９を投入し、封入液Ｌ中において、外筒１１の他端開口部の内側にダイヤフラム１９を嵌合させて防振装置本体２０にダイヤフラム１９を組み付ける。このとき、ダイヤフラム１９は、ダイヤフラムゴム１９ｂの下側などに空気が残留しないようにプール５０内で適宜揺動させた後、防振装置本体２０に組み付ける。
その後、封入液Ｌ中において、外筒１１の他端側の端部を全周に亘って径方向内側に屈曲させて外筒１１とダイヤフラムリング１９ａとをカシメ固定する。そして、組み立てられた防振装置１０をプール５０内から取り出し、防振装置１０の表面を洗浄して防振装置１０の表面に付着した封入液Ｌを洗い流す。
以上により、第一液体Ｌ１と第二液体Ｌ２とを含有する封入液Ｌが液室１７内に封入された防振装置１０が完成する。
【００３５】
上記した防振装置１０の製造方法によれば、プール５０内に貯留された封入液Ｌは、所定比率の第二液体Ｌ２が微粒子となって第一液体Ｌ１中に分散された乳化状態となっているので、互いに非相溶性を有する第一液体Ｌ１及び第二液体Ｌ２を含有する封入液Ｌを所定の比率で液室１７内に封入させることができる。これにより、液室１７内の封入液Ｌにおける第二液体Ｌ２の含有比率のばらつきを抑えることができ、防振装置１０の性能安定性を向上させることができる。
【００３６】
また、上記した封入液Ｌは、第一液体Ｌ１を６０重量％以上９９．９重量％以下含有し、第二液体Ｌ２を０．１重量％以上４０重量％以下含有しており、前記第一液体Ｌ１はエチレングリコール単体若しくはエチレングリコールとプロピレングリコールとを含有し、前記第二液体Ｌ２はシリコーンオイル若しくはフッ素オイルを含有しているため、防振装置１０の減衰効果が低減されることがない。このため、防振装置１０の減衰機能を維持したまま、防振装置１０の性能安定性を向上させることができる。
【００３７】
また、プール５０に貯留された封入液Ｌは、水溶性のエチレングリコール等の第一液体Ｌ１に対して油系の第二液体Ｌ２（シリコーンオイルやフッ素オイル）が微粒子となって分散されており、この封入液Ｌ中で液中組立工程を行うので、防振装置１０の表面に油系の第二液体Ｌ２（シリコーンオイルやフッ素オイル）が付着しにくくなり、防振装置１０の表面を洗浄する際、水で容易に洗い流すことが可能である。
【００３８】
以上、本発明に係る防振装置の製造方法の実施の形態について説明したが、本発明は上記した実施の形態に限定されるものではなく、その趣旨を逸脱しない範囲で適宜変更可能である。
例えば、第一液体Ｌ１および第二液体Ｌ２は、前述したものに限らず、非相溶性を有する液体であれば適宜変更可能である。例えば、第二液体Ｌ２が、第一液体Ｌ２と比較して蒸気圧や蒸発潜熱が同等若しくは低くなっていてもよく、また、第一液体Ｌ２と比較して粘度が同等若しくは高くなっていてもよい。また、上記した実施の形態では、封入液Ｌ中に含まれる第二液体Ｌ２の重量比率が第一液体Ｌ１の重量比率よりも小さくなっているが、第二液体Ｌ２の重量比率を第一液体Ｌ１の重量比率と同等若しくは大きくすることも可能である。
【００３９】
また、上記した実施の形態では、防振装置１０を封入液Ｌ中で組み立てる方法で防振装置１０を製造しているが、本発明は、組み立てられた防振装置１０の液室１７に封入液Ｌを真空注入する製造方法であってもよい。詳しく説明すると、上述した実施の形態と同様に、外筒１１、内筒１２及び弾性体１３を一体化させて防振装置本体２０を作成する防振装置本体作成工程、円環状の仕切り部材本体１６ｂの内側にメンブラン１６ａを形成して仕切り部材１６を作成する仕切り部材作成工程、及び、ダイヤフラムリング１９ａの内側にダイヤフラムゴム１９ｂを形成してダイヤフラム１９を作成するダイヤフラム作成工程をそれぞれ行う。上述した実施の形態と同様の方法で製造された乳化状態の封入液Ｌを収容する密封タンクを用意する。そして、組み立てられた防振装置１０の液室１７を真空引きし、その後、前記した密封タンクと液室１７とを連通させることで、真空状態の液室１７に乳化状態の封入液Ｌを注入する。これにより、所望の比率の封入液Ｌを液室１７に封入させることができる。
【００４０】
また、防振装置１０として圧縮式を示したが、主液室１４が鉛直方向下側に位置しかつ副液室１５が鉛直方向上側に位置するように取り付けられて用いられる吊り下げ式の防振装置にも適用可能である。
さらに、封入液Ｌに含有される液体は、二種類の液体（第一液体Ｌ１、第二液体Ｌ２）に限らず、三種類以上の液体を含有する封入液Ｌであってもよい。
【００４１】
また、本発明に係る防振装置の製造方法は、車両のエンジンマウントを製造する場合に限定されるものではなく、エンジンマウント以外に防振装置に適用することも可能である。例えば、建設機械に搭載された発電機のマウントを製造する場合にも適用することも可能であり、或いは、工場等に設置される機械のマウントを製造する場合にも適用することも可能である。
【００４２】
また、上記した実施の形態では、外筒１１の他端開口部にダイヤフラム１９（ダイヤフラムリング１９ａ）がカシメ固定されているが、本発明は、ダイヤフラム１９が外筒１１にカシメ固定された構成に限定されず、例えば、ダイヤフラム１９が外筒１１に止め具等によって固定されていてもよい。
【００４３】
また、上記した実施の形態では、仕切り部材１６に制限通路２４が形成されているが、本発明は、仕切り部材１６以外に制限通路２４が形成されていてもよい。例えば、外筒１１の一部に溝加工して制限通路を形成してもよく、或いは、ダイヤフラムリング１９ａ等のカシメ部分の一部に溝加工して制限通路を形成してもよい。
【００４４】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００４５】
【図１】本発明の実施の形態を説明するための防振装置の断面図である。
【図２】本発明の実施の形態を説明するための防振装置の液中組立工程を表した断面図である。
【符号の説明】
【００４６】
１０  防振装置
１１  外筒
１２  内筒
１３  弾性体
１４  主液室
１５  副液室
１６  仕切り部材
１７  液室
２０  防振装置本体
２４  制限通路
Ｌ  封入液
Ｌ１  第一液体
Ｌ２  第二液体
【図１】
2010071446.tif 000003
【図２】
2010071446.tif 000004